(57)【要約】      （修正有）【課題】  大きな起電電圧を発生させることができ、かつ、製品コストおよびランニングコストを大幅に低減させることができると共に、金属イオンの溶出によって金属製の容器や配管等に与える悪影響をほとんどなくすことができる水の殺菌処理具の提供。【解決手段】  標準単極電位の異なる２種類の異種金属を互いに密着若しくは近接対向配置させると共に該２種類の異種金属の接触境界部分若しくは近接対向部分が水と接触する状態で露出形成されている構成とすることにより水中において該接触境界部分若しくは近接対向部分で局部電池が形成されて該部分の水に起電電圧を作用させる水の殺菌処理具であって、２種類の異種金属が少なくとも炭素とチタンを含んで構成されている。【選択図】        なし【特許請求の範囲】
【請求項１】
標準単極電位の異なる２種類の異種金属を互いに密着若しくは近接対向配置させると共に該２種類の異種金属の接触境界部分若しくは近接対向部分が水と接触する状態で露出形成されている構成とすることにより水中において該接触境界部分若しくは近接対向部分で局部電池が形成されて該部分の水に起電電圧を作用させる水の殺菌処理具であって、
前記２種類の異種金属が少なくとも炭素とチタンを含んで構成されていることを特徴とする水の殺菌処理具。
【請求項２】
前記炭素が多数の炭素繊維で構成され、
前記チタンが多数のチタン繊維で構成され、
前記炭素繊維とチタン繊維とを互いに混合して一体化させることにより炭素とチタンとの接触境界部分が多数形成されていることを特徴とする請求項１に記載の水の殺菌処理具。
【請求項３】
前記炭素が通水可能な炭素繊維集合体で構成され、
該炭素繊維集合体の表面の一部にチタンがメッキされることにより炭素とチタンとの接触境界部分が多数形成されていることを特徴とする請求項１に記載の水の殺菌処理具。
【請求項４】
前記炭素が粒状もしくは繊維状で含水可能な繊維シートまたは多孔シートの少なくとも表面側に含まれた状態で備えられ、
該シートの炭素を含む表面の一部にチタンがメッキされることにより炭素とチタンとの接触境界部分が多数形成されていることを特徴とする請求項１に記載の水の殺菌処理具。
【請求項５】
前記炭素が通水可能な複数枚の炭素繊維シートで構成され、
該複数枚の炭素繊維シート相互間にろ過通水性を有する非金属性シートの両表面にチタンをメッキしたチタンメッキろ過シートが密着状態で介装されることにより炭素とチタンとの接触境界部分が多数形成されていることを特徴とする請求項１に記載の水の殺菌処理具。
【請求項６】
前記炭素が通水可能な複数枚の炭素繊維シートで構成され、
該複数枚の炭素繊維シート相互間にろ過通水性を有する非金属性シートの一方の表面にチタンをメッキしたチタンメッキろ過シートが密着状態で介装されることにより炭素とチタンとの接触境界部分および近接対向部分が多数形成されていることを特徴とする請求項１に記載の水の殺菌処理具。
【請求項７】
前記炭素が通水可能な炭素繊維シートで構成され、
前記チタンがろ過通水性を有する非金属性シートの一方の表面にメッキした状態で備えられ、
前記非金属性シートにおけるチタンがメッキされてない方の面が前記炭素繊維シートに重ねた状態で配置されることにより炭素とチタンとの近接対向部分が多数形成されていることを特徴とする請求項１に記載の水の殺菌処理具。
【請求項８】
前記炭素が炭素を含む炭素繊維シートで構成され、
前記チタンがチタンを含む繊維シートまたは少なくとも一方の表面にチタンをメッキしたチタン繊維シートで構成され、
前記チタン繊維シートにおけるチタンを有する面が前記炭素繊維シートに重ねた状態で密着配置されることにより炭素とチタンとの接触境界部分が多数形成されていることを特徴とする請求項１に記載の水の殺菌処理具。
【請求項９】
前記炭素が炭素を含む炭素繊維シートで構成され、
前記チタンが一方の表面にチタンをメッキしたチタン繊維シートで構成され、
前記チタン繊維シートにおけるチタンがメッキされてない方の面が前記炭素繊維シートに重ねた状態で配置されることにより炭素とチタンとの近接対向部分が多数形成されていることを特徴とする請求項１に記載の水の殺菌処理具。
【発明の詳細な説明】
【技術分野】
【０００１】
本発明は、標準単極電位の異なる２種類の異種金属を用いた水の殺菌処理具に関する。
【背景技術】
【０００２】
この種の水の殺菌処理具としては、異種金属腐食における卑な金属（マグネシウム）からなる陰電極と、貴な金属（銅合金）からなる陽電極とをスペーサを介して対向配置させた構造のものが知られている（例えば、特許文献１参照）。
【０００３】
【特許文献１】特開２００３−１８１４５４号公報
【発明の開示】
【発明が解決しようとする課題】
【０００４】
しかしながら、上述の従来例にあっては、異種金属腐食における卑な金属として、マグネシウム、亜鉛、ベリリウム、アルミニウム合金等が用いられる一方で、貴な金属として、黒鉛、白金、ニッケル・クロム・銅合金Ｃ、チタン・ニッケル・クロム・銅・シリコン合金Ｂ、ニッケル・鉄・クロム合金８２５、アロイ２０、ステンレス鋼、銅、銀等が用いられていたため、以下に述べるような問題点があった。
即ち、以上の異種金属の組み合わせは、いずれも標準単極電位の差が小さく、このため、起電電圧が０．７Ｖ程度と低く、十分な殺菌作用が得られないという問題がある。
【０００５】
また、以上の異種金属の組み合わせは、いずれも互いに異種金属腐食におけるイオン化傾向の差が大きい組み合わせであるため、イオン化傾向の大きい方の金属から金属イオンが効率的に溶出されるもので、これにより、イオン化傾向の大きい方の金属の酸化腐食による消耗が早く、従って、耐久性に劣ると共に、製品コストおよびランニングコストが高く付くという問題がある。
また、イオン化傾向の大きい方の金属から多量に溶出される金属イオンによって金属製の容器や配管等に悪影響を与えるという問題がある。
【０００６】
本発明は、かかる従来の問題点を解決するためになされたものであって、その目的とするところは、大きな起電電圧を発生させることができ、かつ、製品コストおよびランニングコストを大幅に低減させることができると共に、金属イオンの溶出によって金属製の容器や配管等に与える悪影響をほとんどなくすことができる水の殺菌処理具を提供することにある。
【課題を解決するための手段】
【０００７】
前記目的を達成するための手段として、請求項１記載の水の殺菌処理具は、標準単極電位の異なる２種類の異種金属を互いに密着若しくは近接対向配置させると共に該２種類の異種金属の接触境界部分若しくは近接対向部分が水と接触する状態で露出形成されている構成とすることにより水中において該接触境界部分若しくは近接対向部分で局部電池が形成されて該部分の水に起電電圧を作用させる水の殺菌処理具であって、前記２種類の異種金属が少なくとも炭素とチタンを含んで構成されていることを特徴とする手段とした。
【０００８】
請求項２記載の水の殺菌処理具は、請求項１に記載の水の殺菌処理具において、前記炭素が多数の炭素繊維で構成され、前記チタンが多数のチタン繊維で構成され、前記炭素繊維とチタン繊維とを互いに混合して一体化させることにより炭素とチタンとの接触境界部分が多数形成されていることを特徴とする手段とした。
【０００９】
請求項３記載の水の殺菌処理具は、請求項１に記載の水の殺菌処理具において、前記炭素が通水可能な炭素繊維集合体で構成され、該炭素繊維集合体の表面の一部にチタンがメッキされることにより炭素とチタンとの接触境界部分が多数形成されていることを特徴とする手段とした。
【００１０】
請求項４記載の水の殺菌処理具は、請求項１に記載の水の殺菌処理具において、前記炭素が粒状もしくは繊維状で含水可能な繊維シートまたは多孔シートの少なくとも表面側に含まれた状態で備えられ、該シートの炭素を含む表面の一部にチタンがメッキされることにより炭素とチタンとの接触境界部分が多数形成されていることを特徴とする手段とした。
【００１１】
請求項５記載の水の殺菌処理具は、請求項１に記載の水の殺菌処理具において、前記炭素が通水可能な複数枚の炭素繊維シートで構成され、複数枚の炭素繊維シート相互間にろ過通水性を有する非金属性シートの両表面にチタンをメッキしたチタンメッキろ過シートが密着状態で介装されることにより炭素とチタンとの接触境界部分が多数形成されていることを特徴とする手段とした。
【００１２】
請求項６記載の水の殺菌処理具は、請求項１に記載の水の殺菌処理具において、前記炭素が通水可能な複数枚の炭素繊維シートで構成され、該複数枚の炭素繊維シート相互間にろ過通水性を有する非金属性シートの一方の表面にチタンをメッキしたチタンメッキろ過シートが密着状態で介装されることにより炭素とチタンとの接触境界部分および近接対向部分が多数形成されていることを特徴とする手段とした。
【００１３】
請求項７記載の水の殺菌処理具は、請求項１に記載の水の殺菌処理具において、前記炭素が通水可能な炭素繊維シートで構成され、前記チタンがろ過通水性を有する非金属性シートの一方の表面にメッキした状態で備えられ、前記非金属性シートにおけるチタンがメッキされてない方の面が前記炭素繊維シートに重ねた状態で配置されることにより炭素とチタンとの近接対向部分が多数形成されていることを特徴とする手段とした。
【００１４】
請求項８記載の水の殺菌処理具は、請求項１に記載の水の殺菌処理具において、前記炭素が炭素を含む炭素繊維シートで構成され、前記チタンがチタンを含む繊維シートまたは少なくとも一方の表面にチタンをメッキしたチタン繊維シートで構成され、前記チタン繊維シートにおけるチタンを有する面が前記炭素繊維シートに重ねた状態で密着配置されることにより炭素とチタンとの接触境界部分が多数形成されていることを特徴とする手段とした。
【００１５】
請求項９記載の水の殺菌処理具は、請求項１に記載の水の殺菌処理具において、前記炭素が炭素を含む炭素繊維シートで構成され、前記チタンが一方の表面にチタンをメッキしたチタン繊維シートで構成され、前記チタン繊維シートにおけるチタンがメッキされてない方の面が前記炭素繊維シートに重ねた状態で配置されることにより炭素とチタンとの近接対向部分が多数形成されていることを特徴とする手段とした。
【発明の効果】
【００１６】
本発明請求項１記載の水の殺菌処理具では、上述のように、２種類の異種金属が少なくとも炭素とチタンを含んで構成されることにより、以下に述べるような効果が得られる。
即ち、炭素とチタンはその標準単極電位の差が大きい（炭素の標準単極電位が高く、チタンの標準単極電位は低い）ため、局部電池として炭素とチタンとの接触境界部分若しくは近接対向部分で大きな起電電圧を発生させることができ、これにより、優れた殺菌効果を得ることができるようになる。
【００１７】
また、炭素とチタンは、金属４０種のなかでも共にそのイオン化傾向が小さく安定していると共に、両金属のイオン化傾向が極めて近く、異種金属の接触によるイオン化傾向の小さい方の金属（この発明では炭素）の腐食を防止するためにイオン化傾向の大きい方の金属（この発明ではチタン）の方が犠牲的に腐食する犠牲腐食（酸化腐食）作用がほとんど働かないため、イオン化傾向が大きい方の金属であるチタンの酸化腐食による消耗が極めて微小であり、従って、耐久性を大幅に延長させることができるため、チタンの使用量を少なくして製品コストおよびランニングコストを大幅に低減させることができるようになるという効果が得られる。
【００１８】
また、特に、イオン化傾向が大きい方の金属であるチタンからの金属イオンの溶出がほとんどないため、この金属イオンの溶出によって金属製の容器や配管等に与える悪影響をほとんどなくすことができるようになるという効果が得られる。
【００１９】
請求項２記載の水の殺菌処理具では、上述のように、前記炭素が多数の炭素繊維で構成され、チタンが多数のチタン繊維で構成され、炭素繊維とチタン繊維とを互いに混合して一体化させることにより炭素とチタンとの接触境界部分が多数形成されている構成としたことにより、炭素繊維を通過する水を効率的に殺菌処理することができるようになる。
【００２０】
請求項３記載の水の殺菌処理具では、上述のように、前記炭素が通水可能な炭素繊維集合体で構成され、該炭素繊維集合体の表面の一部にチタンがメッキされることにより、炭素とチタンの接触境界部分が多数形成されている構成とすることにより、高価なチタンの使用量を少なくすることができると共に、炭素繊維を通過する水を効率的に殺菌処理することができるようになる。
【００２１】
請求項４記載の水の殺菌処理具では、上述のように、前記炭素が粒状もしくは繊維状で含水可能な繊維シートまたは多孔シートの少なくとも表面側に含まれた状態で備えられ、該シートの炭素を含む表面の一部にチタンがメッキされることにより炭素とチタンとの接触境界部分が多数形成されている構成としたことにより、含水された水を電解液として炭素とチタンとの接触境界部分に局部電池が形成され、これにより、優れた殺菌効果を得ることができるようになる。
【００２２】
請求項５記載の水の殺菌処理具では、上述のように、前記炭素が通水可能な複数枚の炭素繊維シートで構成され、該複数枚の炭素繊維シート相互間にろ過通水性を有する非金属性シートの両表面にチタンをメッキしたチタンメッキろ過シートが密着状態で介装されることにより炭素とチタンとの接触境界部分が多数形成されている構成としたことにより、高価なチタンの使用量を少なくすることができると共に、炭素繊維を通過する水をろ過しつつ効率的に殺菌処理することができるようになる。
【００２３】
請求項６記載の水の殺菌処理具では、上述のように、前記炭素が通水可能な複数枚の炭素繊維シートで構成され、該複数枚の炭素繊維シート相互間にろ過通水性を有する非金属性シートの一方の表面にチタンをメッキしたチタンメッキろ過シートが密着状態で介装されることにより炭素とチタンとの接触境界部分および近接対向部分が多数形成されている構成としたことにより、高価なチタンの使用量をさらに少なくすることができると共に、炭素繊維を通過する水をろ過しつつ効率的に殺菌処理することができるようになる。
【００２４】
請求項７記載の水の殺菌処理具では、上述のように、前記炭素が通水可能な炭素繊維シートで構成され、チタンがろ過通水性を有する非金属性シートの一方の表面にメッキした状態で備えられ、非金属性シートにおけるチタンがメッキされてない方の面が前記炭素繊維シートに重ねた状態で配置されることにより炭素とチタンとの近接対向部分が多数形成されている構成としたことにより、高価なチタンの使用量を少なくすることができると共に、炭素繊維を通過する水をろ過しつつ効率的に殺菌処理することができるようになる。
【００２５】
請求項８記載の水の殺菌処理具では、上述のように、前記炭素が炭素を含む炭素繊維シートで構成され、チタンがチタンを含む繊維シートまたは少なくとも一方の表面にチタンをメッキしたチタン繊維シートで構成され、チタン繊維シートにおけるチタンを有する面が炭素繊維シートに重ねた状態で密着配置されることにより炭素とチタンとの接触境界部分が多数形成されている構成としたことにより、炭素繊維シートおよびチタン繊維シートを通過する水を効率的に殺菌処理することができるようになる。
【００２６】
請求項９記載の水の殺菌処理具では、上述のように、前記炭素が炭素を含む炭素繊維シートで構成され、チタンが一方の表面にチタンをメッキしたチタン繊維シートで構成され、チタン繊維シートにおけるチタンがメッキされてない方の面が炭素繊維シートに重ねた状態で配置されることにより炭素とチタンとの近接対向部分が多数形成されている構成としたことにより、炭素繊維シートおよびチタン繊維シートを通過する水を効率的に殺菌処理することができるようになる。
【発明を実施するための最良の形態】
【００２７】
以下、本発明の実施例を詳細に説明する。
（実施例１）
この実施例１の水の殺菌処理具は、２種類の異種金属の一方である炭素が多数の炭素繊維で構成され、もう一方の金属であるチタンが多数のチタン繊維で構成され、炭素繊維とチタン繊維とを互いに混合して一体化させることにより炭素とチタンとの接触境界部分が多数形成されている構成としたものである。
【００２８】
この実施例１の水の殺菌処理具では、上述のように構成されるため、これを水中に没した状態とすることにより、多数形成される炭素とチタンとの接触境界部分で局部電池が形成され、接触境界部分の水に起電電圧を作用させることができ、この起電電圧で水を殺菌することができる。
【００２９】
また、２種類の異種金属が炭素（Ｃ）とチタン（Ｔｉ）で構成されることにより、他の金属の組み合わせでは得られない以下に述べるような効果が得られる。
即ち、炭素とチタンはその標準単極電位の差が大きい（炭素の標準単極電位が高く、チタンの標準単極電位は低い）ため、局部電池として炭素とチタンとの接触境界部分で大きな起電電圧（２Ｖ以上）を発生させることができ、これにより、優れた殺菌効果を得ることができるようになる。
【００３０】
また、炭素とチタンは、金属４０種のなかでも共にそのイオン化傾向が小さく安定していると共に、両金属（炭素とチタン）のイオン化傾向が極めて近く、異種金属の接触によるイオン化傾向の小さい方の金属（この発明では炭素）の腐食を防止するためにイオン化傾向の大きい方の金属（この発明ではチタン）の方が犠牲的に腐食する犠牲腐食（酸化腐食）作用がほとんど働かないため、イオン化傾向が大きい方の金属であるチタンの酸化腐食による消耗が極めて微小であり、従って、耐久性を大幅に延長させることができるため、チタンの使用量を少なくして製品コストおよびランニングコストを大幅に低減させることができるようになるという効果が得られる。
【００３１】
また、特に、イオン化傾向が大きい方の金属であるチタンからの金属イオンの溶出がほとんどないため、この金属イオンの溶出によって金属製の容器や配管等に与える悪影響をほとんどなくすことができるようになるという効果が得られる。
なお、この実施例１の殺菌処理具は、水槽、配水管、クーリングタワー等の水の流れがある部分に全て使用することができ、殺菌作用が得られる他に、あおこを死滅させ、もしくはその発生を防止することができる。
また、海水に使用することにより、起電電圧でくらげ、プランクトンを忌避する効果があり、取水口等に利用することによってくらげ等による取水口の詰まりを防止することができる。
【００３２】
次に、他の実施例について説明する。なお、この他の実施例の説明にあたっては、前記実施例１との相違点についてのみ説明する。
（実施例２）
この実施例２の水の殺菌処理具は、２種類の異種金属の一方である炭素が通水可能な炭素繊維集合体で構成され、該炭素繊維集合体の表面の一部にもう一方の金属であるチタンがメッキされることにより炭素とチタンとの接触境界部分が多数形成されている構成としたものである。
従って、この実施例２の殺菌処理具では、チタンがメッキで構成されることにより、高価なチタンの使用量を少なくすることができると共に、炭素繊維集合体を通過する水を効率的に殺菌処理することができるようになる。
【００３３】
（実施例３）
この実施例３の水の殺菌処理具は、２種類の異種金属の一方である炭素が粒状もしくは繊維状で含水可能な繊維シートまたは多孔シートの少なくとも表面側に含まれた状態で備えられ、該シートの炭素を含む表面の一部にもう一方の金属であるチタンがメッキされることにより炭素とチタンとの接触境界部分が多数形成されている構成としたものである。
従って、この実施例３の殺菌処理具では、繊維シートまたは多孔シートに含水された水を電解液として炭素とチタンとの接触境界部分に局部電池が形成され、これにより、優れた殺菌効果を得ることができるようになる。
【００３４】
なお、この実施例３の水の殺菌処理具の使用例としては、シートに水を含ませて、食品容器の底部に敷く防菌・殺菌シートや、食品を包む防菌・殺菌包装シート等として使用することにより、腐敗を防止して食品の鮮度を長く維持させることができるようになる。
また、畑の土の上に敷くことにより、農業用の防菌・防虫兼遮光シートとして用いることができると共に、野菜等の栽培物に寄生する病原菌等を死滅させることができるようになる。
また、壁紙シートとして使用することにより、結露によるカビの発生を防止することができる。
また、湿気のある靴の中敷として使用することにより、水虫の発生を防止することができる。
また、脇のパッド材料としても使用することにより、防臭効果を得ることができる。
【００３５】
（実施例４）
この実施例４の水の殺菌処理具は、前記２種類の異種金属の一方である炭素が通水可能な複数枚の炭素繊維シートで構成され、複数枚の炭素繊維シート相互間にろ過通水性を有する非金属性シートの両表面にもう一方の金属であるチタンをメッキしたチタンメッキろ過シートが密着状態で介装されることにより炭素とチタンとの接触境界部分が多数形成されている構成としたものである。
従って、この実施例４の殺菌処理具では、高価なチタンの使用量を少なくすることができると共に、炭素繊維を通過する水をろ過しつつ効率的に殺菌処理することができるようになる。
【００３６】
（実施例５）
この実施例５の水の殺菌処理具は、前記２種類の異種金属の一方である炭素が通水可能な複数枚の炭素繊維シートで構成され、該複数枚の炭素繊維シート相互間にろ過通水性を有する非金属性シートの一方の表面にもう一方の金属であるチタンをメッキしたチタンメッキろ過シートが密着状態で介装されることにより炭素とチタンとの接触境界部分および近接対向部分が多数形成されている構成としたものである。
従って、この実施例５の殺菌処理具では、高価なチタンの使用量をさらに少なくすることができると共に、炭素繊維を通過する水をろ過しつつ効率的に殺菌処理することができるようになる。
【００３７】
（実施例６）
この実施例６の水の殺菌処理具は、前記２種類の異種金属の一方である炭素が通水可能な炭素繊維シートで構成され、もう一方の金属であるチタンがろ過通水性を有する非金属性シートの一方の表面にメッキした状態で備えられ、前記非金属性シートにおけるチタンがメッキされてない方の面が炭素繊維シートに重ねた状態で配置されることにより炭素とチタンとの近接対向部分が多数形成されていることを特徴とする手段とした。
従って、この実施例６の殺菌処理具では、高価なチタンの使用量を少なくすることができると共に、炭素繊維を通過する水をろ過しつつ効率的に殺菌処理することができるようになる。
【００３８】
（実施例７）
この実施例７の水の殺菌処理具は、前記２種類の異種金属の一方である炭素が炭素を含む炭素繊維シートで構成され、もう一方の金属であるチタンがチタンを含む繊維シートまたは少なくとも一方の表面にチタンをメッキしたチタン繊維シートで構成され、チタン繊維シートにおけるチタンを有する面が炭素繊維シートに重ねた状態で密着配置されることにより炭素とチタンとの接触境界部分が多数形成されている構成としたものである。
従って、この実施例７の殺菌処理具では、炭素繊維シートおよびチタン繊維シートを通過する水を効率的に殺菌処理することができるようになる。
【００３９】
（実施例８）
この実施例８の水の殺菌処理具は、前記２種類の異種金属の一方である炭素が炭素を含む炭素繊維シートで構成され、もう一方の金属であるチタンが一方の表面にチタンをメッキしたチタン繊維シートで構成され、チタン繊維シートにおけるチタンがメッキされてない方の面が炭素繊維シートに重ねた状態で配置されることにより炭素とチタンとの近接対向部分が多数形成されている構成としたことにより、炭素繊維シートおよびチタン繊維シートを通過する水を効率的に殺菌処理することができるようになる。
【００４０】
以上本発明の実施例を説明してきたが、本発明は上述の実施例に限られるものではなく、発明の要旨を逸脱しない範囲の設計変更等があっても本発明に含まれる。
例えば、実施例では、チタンを用いたが、チタン合金を用いることができる。
【００４１】
また、この実施例では、炭素とチタンとを近接対向配置させると共に該２種類の異種金属の近接対向部分が水と接触する状態で露出形成されている構成とすることにより水中において該近接対向部分で局部電池が形成されて該部分の水に起電電圧を作用させて水を殺菌する水の殺菌処理具について説明したが、以下に述べるように、電極として炭素とチタンを用いることにより、高電圧で耐久性に優れた電池を構成させることができる。
【００４２】
［構成］
正極と負極とが電解液を介して対向配置されてなる電池において、電極（正極、負極）が炭素（Ｃ）とチタン（Ｔｉ）で構成されていることを特徴とする電池。
【００４３】
［作用・効果］
以上のように、正極と負極を炭素とチタンで構成させることにより、他の金属の組み合わせでは得られない以下に述べるような効果が得られる。
即ち、炭素とチタンはその標準単極電位の差が大きい（炭素の標準単極電位が高く、チタンの標準単極電位は低い）ため、局部電池として炭素とチタンとの接触境界部分で大きな起電電圧（２Ｖ以上）を発生させることができる。
【００４４】
また、炭素とチタンは、金属４０種のなかでも共にそのイオン化傾向が小さく（イオン化しにくい）安定していると共に、両金属（炭素とチタン）のイオン化傾向が極めて近く、異種金属の接触によるイオン化傾向の小さい方の金属（この発明では炭素）の腐食を防止するためにイオン化傾向の大きい方の金属（この発明ではチタン）の方が犠牲的に腐食する犠牲腐食（酸化腐食）作用がほとんど働かないため、イオン化傾向が大きい方の金属であるチタンの酸化腐食による消耗が極めて微小であり、従って、耐久性を大幅に延長させることができるため、チタンの使用量を少なくして製品コストおよびランニングコストを大幅に低減させることができるようになるという効果が得られる。